(57)【要約】      （修正有）【課題】途中で切れやすい被挟持物を確実に挟持可能な毛抜き、とげ抜きなどの挟持具を提供する。【解決手段】挟持具は、一方側挟持片１０及び他方側挟持片１１の内側に先端から後端に向かってそれぞれ延出形成された一方側挟持部と他方側挟持部とを備え、一方側挟持部に形成された一方側挟持面１００ａと他方側挟持部に形成された他方側挟持面１１０ａは、互いに対向する挟持面同士が面接触するように形成されているため、挟持した時の支点が挟持面の上部にあり、挟持面全体で、被挟持物９５を押圧挟持できる。【選択図】図３
2019146954.tif 000002
【特許請求の範囲】
【請求項１】
一方側挟持片及び他方側挟持片を備えた弾性を有する挟持具であって、
前記一方側挟持片及び前記他方側挟持片それぞれに被挟持物を挟持する一方側挟持部と他方側挟持部とを備え、
前記一方側挟持部と前記他方側挟持部の少なくとも一方は、挟持方向に押圧挟持したときの挟持部の支点となる位置より後端方向に延出形成され、
前記一方側挟持部に形成された一方側挟持面と前記他方側挟持部に形成された他方側挟持面は、互いに対向する挟持面同士が面接触するように形成されていることを特徴とする挟持具。
【請求項２】
前記一方側挟持部及び前記他方側挟持部は、挟持方向視で先端方向に向かってテーパ状に狭まるように形成されている請求項１に記載の挟持具。
【請求項３】
前記一方側挟持面に前記挟持具の長手方向に延びる凹状溝及び／又は凸状部が形成され、前記他方側挟持面に該一方側挟持面の凹凸に噛合う凸状部及び／又は凹状溝が形成され、前記一方側挟持部と前記他方側挟持部の短手方向の動きを抑制する請求項１又は２に記載の挟持具。
【請求項４】
前記一方側挟持面に前記挟持具の短手方向に延びる凹部及び／又は凸部が形成され、前記他方側挟持面に該一方側挟持面の凹凸に噛合う凸部及び／又は凹部が形成され、前記一方側挟持部と前記他方側挟持部の長手方向の動きを抑制する請求項1乃至３のうちのいずれか1項に記載の挟持具。
【請求項５】
前記一方側挟持片及び／又は前記他方側挟持片の内側に挟持方向の動きを制限する突条部を設けた請求項1乃至４のうちのいずれか1項に記載の挟持具。
【請求項６】
前記突条部が設けられている挟持片と対向する挟持片側に該突条部と係合する係合凹部が形成されている請求項５に記載の挟持具。
【請求項７】
前記係合凹部の少なくとも一方の側端には、前記突条部が当接する係止部が形成され、該突条部の側面外方向への動きを防止する請求項６に記載の挟持具。
【請求項８】
前記突条部の少なくとも一方の側端に突片が形成され、該突片が、対向する挟持片側部に形成された切欠き部に当接することで、該突条部の側面内方向への動きを防止する請求項５乃至７のうちのいずれか１項に記載の挟持具。
【請求項９】
前記一方側挟持片及び／又は前記他方側挟持片は、長手方向における後端側から先端側に向かって挟持間隔が狭まる方向に傾斜した傾斜面及び／又は凹状部を備えている請求項１乃至８のうちのいずれか1項に記載の挟持具。
【請求項１０】
前記一方側挟持片及び／又は前記他方側挟持片の先端部前面は、挟持方向に対して略平行な平面板状に形成されている請求項１乃至９のうちのいずれか１項に記載の挟持具。
【請求項１１】
前記挟持具が、毛抜き、とげ抜き又は魚の小骨抜きである請求項１乃至１０のうちのいずれか１項に記載の挟持具。
【発明の詳細な説明】
【技術分野】
【０００１】
本発明は、挟持具に関する。更に詳しくは、途中で切れやすい長尺の被挟持物を確実に挟持可能な挟持具に関する。
【背景技術】
【０００２】
従来、被挟持物を挟持する道具として、例えば、毛抜き、とげ抜きがある。これらは毛、とげなどを抜くのを目的とするものである。
しかしながら、切れやすい細い毛を抜こうとして、挟持すると途中で切れてしまうおそれがある。
すなわち、図１３に示すように、挟持具９としての毛抜きは、細い被挟持物９３を挟持面９０ａで挟持すると、左右から押圧した時に、挟持面９０ａの後端９０ｂが支点となり、この部分で被挟持物が押圧されるため、途中で切れやすくなる。
【０００３】
ここで、挟持面に細かな凹凸ラインを設けた毛抜きが提案されている（例えば、特許文献１参照。）。
この特許文献１に記載の毛抜きによれば、複数の凹凸ラインにより形成されたやや広い面に亘って、毛を滑らないように挟持することができる。この挟持具であれば、複数の凹凸ラインによりある程度長尺の毛を挟持するのに適している。
【先行技術文献】
【特許文献】
【０００４】
【特許文献１】実登３１７８０５３号公報
【発明の開示】
【発明が解決しようとする課題】
【０００５】
しかし、特許文献１の挟持具では、複数の凹凸ラインがあるため、長尺の毛を広範囲に挟持する効果がある一方、個々の凸、凹により、細い毛が途中で切れる場合が生ずる。更に、個々の凸、凹にかかる押圧力はそれだけ弱まり、全体としての挟持力が弱くなる。
【０００６】
本発明は、前記従来の問題を解決するものであり、簡易な構成で途中で切れやすい被挟持物を確実に挟持可能な挟持具を提供することを目的としている。
【課題を解決するための手段】
【０００７】
本発明は、以下の通りである。
１．一方側挟持片及び他方側挟持片を備えた弾性を有する挟持具であって、
前記一方側挟持片及び前記他方側挟持片それぞれに被挟持物を挟持する一方側挟持部と他方側挟持部とを備え、
前記一方側挟持部と前記他方側挟持部の少なくとも一方は、挟持方向に押圧挟持したときの挟持部の支点となる位置より後端方向に延出形成され、
前記一方側挟持部に形成された一方側挟持面と前記他方側挟持部に形成された他方側挟持面は、互いに対向する挟持面同士が面接触するように形成されていることを特徴とする挟持具。
２．前記一方側挟持部及び前記他方側挟持部は、挟持方向視で先端方向に向かってテーパ状に狭まるように形成されている請求項１に記載の挟持具。
３．前記一方側挟持面に前記挟持具の長手方向に延びる凹状溝及び／又は凸状部が形成され、前記他方側挟持面に該一方側挟持面の凹凸に噛合う凸状部及び／又は凹状溝が形成され、前記一方側挟持部と前記他方側挟持部の短手方向の動きを抑制する１．又は２．に記載の挟持具。
４．前記一方側挟持面に前記挟持具の短手方向に延びる凹部及び／又は凸部が形成され、前記他方側挟持面に該一方側挟持面の凹凸に噛合う凸部及び／又は凹部が形成され、前記一方側挟持部と前記他方側挟持部の長手方向の動きを抑制する１．乃至３．のうちのいずれか1項に記載の挟持具。
５．前記一方側挟持片及び／又は前記他方側挟持片の内側に挟持方向の動きを制限する突条部を設けた１．乃至４．のうちのいずれか1項に記載の挟持具。
６．前記突条部が設けられている挟持片と対向する挟持片側に該突条部と係合する係合凹部が形成されている５．に記載の挟持具。
７．前記係合凹部の少なくとも一方の側端には、前記突条部が当接する係止部が形成され、該突条部の側面外方向への動きを防止する６．に記載の挟持具。
８．前記突条部の少なくとも一方の側端に突片が形成され、該突片が、対向する挟持片側部に形成された切欠き部に当接することで、該突条部の側面内方向への動きを防止する５．乃至７．のうちのいずれか１項に記載の挟持具。
９．前記一方側挟持片及び／又は前記他方側挟持片は、長手方向における後端側から先端側に向かって挟持間隔が狭まる方向に傾斜した傾斜面及び／又は凹状部を備えている１．乃至８．のうちのいずれか1項に記載の挟持具。
１０．前記一方側挟持片及び／又は前記他方側挟持片の先端部前面は、挟持方向に対して略平行な平面板状に形成されている１．乃至９．のうちのいずれか１項に記載の挟持具。
１１．前記挟持具が、毛抜き、とげ抜き又は魚の小骨抜きである１．乃至１０．のうちのいずれか１項に記載の挟持具。
【発明の効果】
【０００８】
１．請求項１に記載の発明に係る挟持具は、一方側挟持片及び前記他方側挟持片それぞれに被挟持物を挟持する一方側挟持部と他方側挟持部とを備え、一方側挟持部と他方側挟持部の少なくとも一方は、押圧挟持したときの挟持部の支点となる位置より後端方向に延出形成され、一方側挟持部に形成された一方側挟持面と他方側挟持部に形成された他方側挟持面は、互いに対向する挟持面同士が面接触するように形成されているため、挟持した時の支点が挟持面の上部にあり、挟持面全体で被挟持物を押圧挟持できる。そのため、細く切れやすい被挟持物であっても途中で切れることがなく、確実に挟持できる。
すなわち、一方側挟持部のうちの延出形成した箇所が弾性変形することで、支点が挟持面の上部に位置すると共に、挟持面の後端同士が開くもことなく、挟持面全体で被挟持物を押圧挟持できる。
２．請求項２に記載の発明に係る挟持具は、請求項１に記載の挟持具において、一方側挟持部及び他方側挟持部が、挟持方向視で先端方向に向かってテーパ状に狭まるように形成されているため、扱いやすい。
３．請求項３に記載の発明に係る挟持具は、請求項１又は２に記載の挟持具において、一方側挟持面に挟持具の長手方向に延びる凹状溝及び／又は凸状部が形成され、他方側挟持面に一方側挟持面の凹凸に噛合う凸状部及び／又は凹状溝が形成されているため、一方側挟持部と他方側挟持部の短手方向の動きを抑制することができる。そのため、挟持面が短手方向にズレるのを防ぐことができる。
４．請求項４に記載の発明に係る挟持具は、請求項１乃至３のうちのいずれかに記載の挟持具において、一方側挟持面に短手方向に延びる凹部及び／又は凸部が形成され、他方側挟持面に一方側挟持面の凹凸に噛合う凸部及び／又は凹部が形成されているため、一方側挟持部と他方側挟持部の長手方向の動きを抑制することができる。そのため、挟持面が長手方向にズレるのを防ぐことができる。
５．請求項５に記載の発明に係る挟持具は、請求項１乃至４のうちのいずれかに記載の挟持具において、一方側挟持片及び／又は他方側挟持片の内側に挟持方向の動きを制限する突条部を設けているため、挟持力がさほど必要でない箇所では、弱い力で挟持し、挟持力が大きく必要な箇所では、強い力を加えることができる。
６．請求項６に記載の発明に係る挟持具は、請求項５に記載の挟持具において、突条部が設けられている挟持片と対向する側に突条部と係合する係合凹部が形成されているため、突条部が挟持により固定され、挟持片同士がズレるのを防ぐことができる。
７．請求項７に記載の発明に係る挟持具は、請求項６に記載の挟持具において、係合凹部の少なくとも一方の側端には、突条部が当接する係止部が形成され、突条部の側面外方向への動きを防止するため、挟持面同士が互い横方向にずれるのを防ぐことができる。
８．請求項８に記載の発明に係る挟持具は、請求項５乃至７のうちのいずれかに記載の挟持具において、突条部の少なくとも一方の側端に突片が形成され、突片が、対向する挟持片側部に形成された切欠き部に当接することで、突条部の側面内方向への動きを防止するため、挟持面同士が互いに横方向にずれるのを防ぐことができる。
９．請求項９に記載の発明に係る挟持具は、請求項１乃至８のうちのいずれかに記載の挟持具において、一方側挟持片及び／又は他方側挟持片は、長手方向における後端側から先端側に向かって挟持間隔が狭まる方向に傾斜した傾斜面及び／又は凹状部を備えているため、手指で把持しやすくなっている。
１０．請求項１０に記載の発明に係る挟持具は、請求項１乃至９のうちのいずれかに記載の挟持具において、一方側挟持片及び／又は他方側挟持片の先端部前面は、挟持方向に対して略平行な平面板状に形成されているため、被挟持物に対して平面的に当接することで、被挟持物を傷つけるおそれがない。
１１．請求項１１に記載の発明に係る挟持具は、請求項１乃至１０のうちのいずれかに記載の挟持具が、毛抜き、とげ抜き又は魚の小骨抜きであるため、特に有効である。
【図面の簡単な説明】
【０００９】
【図１】（ａ）実施例１に係る挟持具の模式的な斜視図である。（ｂ）実施例１の変形例に係る挟持具の模式的な斜視図である。
【図２】実施例１に係る挟持具の先端部分を示す正面図であり、（ａ）は挟持していない状態、（ｂ）は挟持片同士を強く挟持した状態であり、本発明の挟持具の作用を示す説明図である。
【図３】実施例１に係る挟持具で被挟持物を挟持する状態の先端部分を示す正面図であり、（ａ）被挟持物を挟持していない状態、（ｂ）被挟持物を軽く挟持した状態、（ｃ）被挟持物強く挟持した状態を示す。
【図４】（ａ）実施例２に係る挟持具の挟持部の先端方向から見た端面図、（ｂ）実施例３に係る挟持具の先端方向から見た端面図である。
【図５】実施例４に係る挟持具の先端部分を示す正面図である。
【図６】実施例５に係る挟持具の（ａ）下方から見た模式的な斜視図、（ｂ）上方から見た模式的な斜視図である。
【図７】実施例５に係る挟持具の先端部分を示す正面図であり、（ａ）は挟持していない状態、（ｂ）は挟持片同士を強く挟持した状態であり、本発明の挟持具の作用を示す説明図である。
【図８】実施例５に係る挟持具について（ａ）被挟持物を挟持する前の状態を示す正面図、（ｂ）被挟持物を挟持した状態を示す正面図、（ｃ）被挟持物を押圧挟持した状態を示す正面図である。
【図９】実施例６に係る挟持具の模式的な斜視図である。
【図１０】実施例６に係る挟持具の突片が形成された方向から見た模式的な斜視図である。
【図１１】図１０における（ａ）Ｘ−Ｘ端面図、（ｂ）Ｙ−Ｙ端面図である。
【図１２】実施例６に係る挟持具を傾斜させて使用する例を示す模式的な斜視図である。
【図１３】従来例の挟持具の作用を示す説明図である。
【発明を実施するための形態】
【００１０】
以下、図面を参照しながら本発明を詳しく説明する。尚、本発明は、かかる図に記載された具体例に示すものに限られず、発明の技術的範囲内において、目的、用途に応じて種々変更したものとすることができる。
【００１１】
本発明の「挟持具」は、一対の挟持片を有し、先端部で被挟持物を挟持片で挟持可能であれば特に限定はなく、全体形状が輪環状、四角状、Ｖ字状、Ｕ字状であってもよく、挟持片同士が長手方向中心に非対称の形状であってもよい。
また、本発明においては、互いに対向する挟持面同士が面接触するように形成されていれば、挟持部の形状は特に限定されず、種々の形状を採用することができる。
【００１２】
［実施例１］
実施例１に係る挟持具１は、図１（ａ）に示すように、一方側挟持片１０及び他方側挟持片１１を備えた弾性を有する挟持具であって、一方側挟持片１０及び他方側挟持片１１の内側に先端から後端に向かってそれぞれ延出形成された一方側挟持部１００と他方側挟持部１１０とを備えている。
この一方側挟持部１００に形成された一方側挟持面１００ａと他方側挟持部１１０に形成された他方側挟持面１１０ａは、互いに対向する挟持面同士が面接触する長方形板状に形成されている（図２（ａ）参照。）。
図２（ｂ）に示すように、挟持具１を挟持すると力点がＡ、Ａとなる力が加わる。そのとき、一方側挟持部１００及び、他方側挟持部１１０の延出形成された箇所が弾性変形することで、挟持部の支点１００ｓ、１１０ｓによる作用点１００ｐ、１１０ｐは、挟持面１００ａ、１１０ａのうちの挟持部の支点１００ｓ、１１０ｓより下方全面となる。すなわち、挟持面１００ａ、１１０ａの先端が微かに開くことはあるとしても、挟持部の支点１００ｓ、１１０ｓの下方において延出形成された箇所は、挟持面同士が弾性変形することで開き難く、面接触が確保されやすい。換言すれば、延出形成された箇所が弾性変形しやすいため、支点の位置を上部に確保することができる。
本実施例１に係る挟持具１では、延出形成された箇所は、薄肉に形成されているため、より弾性変形しやすく、確実に挟持面同士が下端において開くことなく全面での面接触が確保される（以下の実施例２〜６においても、同様の作用効果を奏する。）。
一方、図１３に示す従来の挟持具９は、細い被挟持物９３を挟持面９０ａで挟持すると、左右から押圧した時に、挟持面９０ａの後端９０ｂが支点となり、この部分で被挟持物が押圧されるため、途中で切れやすくなる。更に、図１３において紙面に対して垂直な被挟持物であると、垂直な線としての被挟持物を垂直な線としての後端９０ｂのみで挟持することになり、実際上挟持することが不可能となる。
本願の挟持具１では、挟持面同士の全面での面接触が確保されるため、線としての被挟持物の向きが３６０度変わっても確実に挟持することができる。（以下の実施例２〜６においても、同様の作用効果を奏する。）。
なお、弾性変形の効果を高めるには、薄肉に形成することの他、幅を狭くする、断面形状を変更する、弾性材料を用いるなど種々の構成を採用することができる。
【００１３】
挟持具１の作用について、挟持具１が毛抜きである場合を例に、図３を参照しながら以下説明する。
皮膚９７の長尺で細い毛９５を抜く場合、図３（ａ）に示すように、毛９５を囲むように皮膚９７の表面９７ａに、挟持片１０、１１の先端部を当接させる。
次いで、図３（ｂ）に示すように、挟持片１０の挟持面１００ａと、挟持片１１の挟持面１１０ａとで、毛９５を挟持する。
そして、図３（ｃ）に示すように、矢印方向にＡ、Ａの力を加えることで、挟持面１００ａ、１１０ａ間に、Ｂ、Ｂの力が作用する。
こうすることで、毛９５が途中で切れることなく押圧挟持される。このまま、引き抜くことで、毛９５は皮膚９７内部から全長に亘って抜くことができる。
【００１４】
ここで、挟持具１の挟持片１０、１１は、挟持部１００、１１０が延出する方向に平行に延びているが、挟持片が後端に向かって延びる方向は、特に限定されず、挟持部の延びる方向に対してあらゆる方向に延びていてもよい。例えば、図１（ｂ）に示す挟持具１Ａのように、挟持片１０Ａ、１１Ａが挟持部１００、１１０が延出する方向に対して反り上がって形成されている。反り上がりの角度も限定されず直角に起立する形状であってもよい。以下の実施例２〜６においても挟持片の延びる方向は同様に、特に限定されない。
【００１５】
［実施例２］
挟持具２は、実施形態１に係る挟持具１における長方形板状の一方側挟持面に挟持具の長手方向に延びる凸状部が形成され、他方側挟持面に一方側挟持面の凹凸に噛合う凹状溝が形成されている。
すなわち、挟持具２は、図４（ａ）に示すように、一方側挟持片及び他方側挟持片の内側に先端から後端に向かってそれぞれ延出形成された一方側挟持部２００と他方側挟持部２１０とを備えている。
そして、長方形板状の一方側挟持面２００ａに挟持具２の長手方向に延びる凸状部２００ｄが形成され、他方側挟持面２１０ａに一方側挟持面２００ａに噛合う凹状溝２１０ｃが形成されている。
こうすることで、一方側挟持部２００と他方側挟持部２１０の短手方向の動きを抑制することができる。そのため、挟持面が横方向にズレるのを防ぐことができる。
その他の構成及び作用効果は、実施形態１の挟持具１と同様であり、前述の通りであるためその説明を省略する。
【００１６】
［実施例３］
挟持具３は、実施形態１に係る挟持具１における長方形板状が短手方向に変形した形状であり、一方側挟持面に挟持具の長手方向に延びる凸状部が形成され、他方側挟持面に一方側挟持面の凹凸に噛合う凹状溝が形成されている。
すなわち、挟持具３は、図４（ｂ）に示すように、一方側挟持片及び他方側挟持片の内側に先端から後端に向かってそれぞれ延出形成された一方側挟持部３００と他方側挟持部３１０とを備えている。
そして、長方形板状の一方側挟持面３００ａに挟持具３の長手方向に延びる凸状部３００ｄが形成され、他方側挟持面３１０ａに一方側挟持面３００ａに噛合う凹状溝３１０ｃが形成されている。
こうすることで、一方側挟持部３００と他方側挟持部３１０の短手方向の動きを抑制することができる。そのため、挟持面が横方向にズレるのを防ぐことができる。
その他の構成及び作用効果は、実施形態１の挟持具１と同様であり、前述の通りであるためその説明を省略する。
【００１７】
［実施例４］
挟持具４は、実施形態１に係る挟持具１における長方形板状の挟持部が長手方向に変形した形状である。一方側挟持面に短手方向に延びる凹部及び凸部が形成され、他方側挟持面に一方側挟持面の凹凸に噛合う凸部及び凹部が形成されている。
すなわち、挟持具４は、図５に示すように、一方側挟持片４０及び他方側挟持片４１の内側に先端から後端に向かってそれぞれ延出形成された一方側挟持部４００と他方側挟持部４１０とを備えている。そして、一方側挟持部４００に形成された一方側挟持面４００ａと他方側挟持部４１０に形成された他方側挟持面４１０ａは、互いに対向する挟持面同士が面接触する板状に形成されている。
更に、一方側挟持面４００ａに短手方向に延びる凹部４００ｃ及び凸部４００ｄが形成され、他方側挟持面４１０ａに、凹部４００ｃ及び凸部４００ｄと噛合う凸部４１０ｄ及び凹部４１０ｃが形成されている。
このため、一方側挟持部４００と他方側挟持部４１０の長手方向の動きを抑制することができる。そのため、挟持面が縦方向にズレるのを防ぐことができる。
その他の構成及び作用効果は、実施形態１の挟持具１と同様であり、前述の通りであるためその説明を省略する。
【００１８】
［実施例５］
実施例５に係る挟持具５は、図６に示すように、一方側挟持片５０及び他方側挟持片５１を備えた弾性を有する挟持具であって、一方側挟持片５０他方側挟持片５１それぞれに被挟持物を挟持する一方側挟持部５００と他方側挟持部５１０とを備えている。
そして、一方側挟持部５００は、一方側挟持片５０の内側に先端から後端に向かって延出形成されている。
この一方側挟持部５００に形成された一方側挟持面５００ａと他方側挟持部５１０に形成された他方側挟持面５１０ａは、互いに対向する挟持面同士が面接触する板状に形成されている（図７（ａ）参照。）。
図７（ｂ）に示すように、挟持具５を挟持すると力点がＣ、Ｃとなる力が加わる。そのとき、一方側挟持部５００及び、他方側挟持部１１０の延出形成された箇所が弾性変形することで、挟持部の支点５００ｓによる作用点５００ｐ、５１０ｐは、挟持面５００ａ、５１０ａのうちの挟持部の支点５００ｓより下方全面となる。すなわち、挟持面５００ａ、５１０ａの先端が微かに開くことはあるとしても、挟持部の支点５００ｓの下方においては、挟持面同士が弾性変形することで開き難く、面接触が確保されやすい。
そして、一方側挟持片５０の長手方向略中央内側に挟持方向の動きを制限する楕円形状の突条部５５を設けている。突条部は、一方側挟持片又は他方側挟持片のいずれか又はその両方に設けていてもよい。
突条部の形状は、特に限定されず、正円形状、多角形状、半円形状、カマボコ形状、角柱形状などであってもよい。
そして、一方側挟持片５０は、長手方向における後端側から先端側に向かって挟持間隔が狭まる方向に凹状部５０ｃを備えている。こうすることで、普通に把持する状態の手指の形に適合した全体形状となり、把持しやすくなっている。
なお、凹状部の形状に限られず、傾斜面を備えた形状であってもよい。
また、基端部近傍は、薄肉に形成されていることが好ましい。これにより、小さな力で挟持することができる。
【００１９】
また、凹状部５０ｃは、突条部５５より先端側に形成されていることが好ましい。これにより、突条部５５の形成部分を支点として先端部に手指で力を加えやすくすることができる。
【００２０】
更に、突条部５５が設けられている一方側挟持片５０と対向する側に突条部５５と係合する係合凹部５１ｃが形成されていることが好ましい。突条部５５が挟持により固定され、挟持面同士がズレるのを防ぐことができる。特に軟質材の挟持具については、ズレが生じやすいため、係合凹部５１ｃを形成する効果が大きい。
【００２１】
また、一方側挟持片５０の先端部前面５００ｂ、他方側挟持片５１の先端部５１０ｂは、挟持方向に対して略平行な平面板状に形成されていることが好ましい。こうであれば、被挟持物（皮膚）に対して平面的に当接することで、傷つけるおそれがない。
【００２２】
挟持具５の作用について、挟持具５が毛抜きである場合を例に、図８を参照しながら以下説明する。
皮膚９７の長尺の毛９５を抜く場合、まず挟持具５を挟持片５０の凹状部５０ｃに親指を当接し、挟持片５１の上面に人差し指を当接して把持する。
そして、図８（ａ）に示すように、毛９５を囲むように皮膚９７の表面９７ａに、挟持片５０、５１の先端部前面５００ｂ、５１０ｂを当接させる。
次いで、挟持具５を図８（ｂ）に示すように、突条部５５の上部５５ａが係合凹部５１ｃに係合するまで挟持する。この際、基端部５３付近は薄肉に形成されているため、小さな力で、挟持することができる。
【００２３】
ここで、最初に挟持片５０の先端部前面５００ｂを皮膚９７に当接させて支持し、次いで、挟持片５１で毛９５を挟持することが好ましい。先端部前面５００ｂが平板状であるため、挟持片５０を皮膚９７に安定させることができる。
そして、図８（ｃ）に示すように、突条部５５を支点として、矢印方向に更に挟持すれば、毛９５を押圧挟持することができる。
すなわち、大きな力が不必要な箇所では極力軽く挟持することができ、必要に応じて挟持力を得るための大きな力も加えることができる。
また、図８（ｂ）に示すように、突条部５５を支点として、先端部に近い個所を押圧するため、先端部をより押圧しやすくなる。そして、先端部に大きな力を加えやすいことから、挟持具が弾性力の大きな素材でなくても、押圧挟持しやすい効果を保持できるといえる。
その他の構成及び作用効果は、実施形態１の挟持具１と同様であり、前述の通りであるためその説明を省略する。
【００２４】
［実施例６］
実施例６に係る挟持具６は、図９に示すように、一方側挟持片６０及び他方側挟持片６１を備えた弾性を有する挟持具であって、一方側挟持片６０及び他方側挟持片６１それぞれに被挟持物を挟持する一方側挟持部６００と他方側挟持部６１０とを備えている。
そして、一方側挟持部６００は、一方側挟持片６０の内側に先端から後端に向かって延出形成されている。
この一方側挟持部６００に形成された一方側挟持面６００ａと他方側挟持部６１０に形成された他方側挟持面６１０ａは、互いに対向する挟持面同士が面接触する板状に形成されている。
ここで、一方側挟持部６００及び他方側挟持部６１０は、挟持方向視で先端方向に向かってテーパ状に狭まるように形成されている。そのため、一方側挟持片の側面６０ａのうちの一方側挟持部側面６００ａは、一方側挟持片側面６０ａに対して先端方向に向かって挟持部内方に傾斜して形成されている。同様に、他方側挟持片側面６０ａのうちの他方側挟持部側面６００ａは、他方側挟持片側面６０ａに対して先端方向に向かって挟持部内方に傾斜して形成されている。
この一方側挟持部６００に形成された一方側挟持面６００ａと他方側挟持部６１０に形成された他方側挟持面６１０ａは、互いに対向する挟持面同士が面接触する板状に形成されている。
面接触して挟持する際の作用効果については、実施例５において説明した通りであり、その説明を省略する。
【００２５】
図９及び、図１０に示すように、一方側挟持片６０の内側に挟持方向の動きを制限する突条部６５を設けている。突条部６５は、一方側挟持片６０の内側から延在するように形成され、長尺突出部６５ａを備えている。この長尺突出部６５ａの表面はヤスリ状に形成されており、例えば、爪を研ぐのに使用することができる。
また、突条部６５は、後述の係合凹部６１ｃと係合するように湾曲凸状の係合凸部６５ｃを備えている。
そして、一方側挟持片６０は、長手方向における後端側から先端側に向かって挟持間隔が狭まる方向に凹状部６０ｃを備えている。なお、凹状部の形状に限られず、傾斜面を備えた形状であってもよい。
また、基端部近傍は、薄肉に形成されていることが好ましい。これにより、小さな力で挟持することができる。
【００２６】
また、凹状部６０ｃは、係合凸部６５ｃより先端側に形成されていることが好ましい。これにより、係合凸部６５ｃの形成部分を支点として先端部に手指で力を加えやすくすることができる。
【００２７】
そして、突条部６５が設けられている一方側挟持片６０と対向する側に係合凸部６５ｃと係合する係合凹部６１ｃが形成されている。突条部６５が挟持により固定され、挟持面同士が長手方向にズレるのを防ぐことができる。特に軟質材の挟持具については、ズレが生じやすいため、係合凹部６１ｃを形成する効果が大きい。
【００２８】
図１０に示すように、係合凹部６１ｃの一方の側端には、係合凸部６５ｃが当接する係止部６１ｄが形成されており、突条部６５の側面外方向への動きを防止することができる（図１１（ａ）参照）。
更に、突条部６５の一方の側端に突片６６が形成され、突片６６が、対向する挟持片である他方側挟持片の側部に形成された切欠き部６１ｅに当接する。これにより、突条部６５の側面内方向への動きを防止することができる（図１１（ｂ）参照）。
【００２９】
挟持具６の作用について、挟持具６が毛抜きである場合を例に以下説明する。
まず、先端部前面６００ｂ、６１０ｂを皮膚に当接させて、毛を抜く場合については、実施形態５の挟持具５の作用効果と同様であり、その説明を省略する。
挟持具６は、一方側挟持部側面６００ｆが、一方側挟持片側面６０ｆに対して先端方向に向かって挟持部内方に傾斜して形成されている。同様に、他方側挟持部側面６１０ｆが、他方側挟持片側面６１ｆに対して先端方向に向かって挟持部内方に傾斜して形成されている。
そのため、図１２に示すように、一方側挟持部側面６００ｆ及び、他方側挟持部側面６１０ｆを皮膚９７に当接させて、一方側挟持面６００ａと他方側挟持面６１０ａとで挟持することができ、扱いやすい。
そして、皮膚９７に対して毛９５を、一方側挟持面６００ａ及び、他方側挟持面６１０ａの全面で確実に挟持することができる。
その他の構成及び作用効果は、実施形態５の挟持具５と同様であり、前述の通りであるためその説明を省略する。
【符号の説明】
【００３０】
１、２、３、４、５、６；挟持具、１０、４０、５０、６０；一方側挟持片、１１、４１、５１、６１；他方側挟持片、１００、２００、３００、４００、５００，６００；一方側挟持部、１１０、２１０、３１０、４１０、５１０，６１０；他方側挟持部、１００ａ、２００ａ、３００ａ、４００ａ、５００ａ、６００ａ；一方側挟持面、１１０ａ、２１０ａ、３１０ａ、４１０ａ、５１０ａ、６１０ａ；他方側挟持面、１００ｓ、１１０ｓ、５００ｓ；挟持部の支点、２１０ｃ、３１０ｃ；凹状溝、２００ｄ、３００ｄ；凸条部、４００ｃ、４１０ｃ；凹部、４００ｄ、４１０ｄ；凸部、５５、６５；突条部、５１ｃ、６１ｃ；係合凹部、５０ｃ、６０ｃ；凹状部、５００ｂ、５１０ｂ、６００ｂ、６１０ｂ；先端部前面、６１ｄ；係止部、６１ｅ；切欠き部、６６；突片、９５；被挟持物
【図１】
2019146954.tif 000003
【図２】
2019146954.tif 000004
【図３】
2019146954.tif 000005
【図４】
2019146954.tif 000006
【図５】
2019146954.tif 000007
【図６】
2019146954.tif 000008
【図７】
2019146954.tif 000009
【図８】
2019146954.tif 000010
【図９】
2019146954.tif 000011
【図１０】
2019146954.tif 000012
【図１１】
2019146954.tif 000013
【図１２】
2019146954.tif 000014
【図１３】
2019146954.tif 000015